(57)【特許請求の範囲】
【請求項１】
レンズユニットの焦点距離に関する情報またはフォーカス位置に関する情報を含むレンズ情報を表示するレンズ情報表示手段と、
位相差ＡＦの合焦位置を補正するための補正値を表す目盛りと、
前記焦点距離または前記フォーカス位置に対応した前記補正値を設定するための指標と、
を有し、
前記目盛りに対し、複数の前記指標が表示され、各焦点距離または各フォーカス位置の補正値が一覧で表示されることを特徴とする表示装置。
【請求項２】
前記レンズ情報は、現在の焦点距離、前記補正値を設定する焦点距離、現在の開放Ｆ値、現在のフォーカス位置、前記補正値を設定するフォーカス位置のうち少なくとも１つを含むことを特徴とする請求項１に記載の表示装置。
【請求項３】
前記補正値を設定する焦点距離またはフォーカス位置は、前記レンズユニットの全焦点距離または全フォーカス位置の中から選択可能であることを特徴とする請求項１または２に記載の表示装置。
【請求項４】
前記補正値を設定する焦点距離またはフォーカス位置は、リアルタイムに表示された現在の焦点距離または現在のフォーカス位置を選択可能であることを特徴とする請求項１〜３のうちいずれかに記載の表示装置。
【請求項５】
前記表示装置は、前記目盛りの表示方法を切り替え可能であることを特徴とする請求項１〜４のうちいずれかに記載の表示装置。
【請求項６】
前記目盛りは、１目盛りが開放Ｆ値によって変化するスケール表示であることを特徴とする請求項５に記載の表示装置。
【請求項７】
前記目盛りは、実際のピントのずれ量で表示する絶対値表示であることを特徴とする請求項５に記載の表示装置。
【請求項８】
前記表示装置は、前記補正値を一覧で表示する際の表示方法を切り換え可能であることを特徴とする請求項１〜７のうちいずれかに記載の表示装置。
【請求項９】
交換可能なレンズユニットと、
請求項１〜８のうちいずれかに記載の表示装置を有する撮像装置と、を有することを特徴とする光学機器。
【発明の詳細な説明】
【技術分野】
【０００１】
本発明は、表示装置に関し、特に位相差ＡＦを補正する機能を有する撮像装置の表示装置に関するものである。
【背景技術】
【０００２】
従来、位相差ＡＦで合焦させる一眼レフカメラは、使用していると、レンズやカメラ本体、各々の耐久により合焦位置が変化し、買った当初より合焦精度が落ちることがあった。
【０００３】
レンズの場合、正しい合焦位置へレンズ駆動するはずが、耐久によるガタが発生してレンズ停止位置がずれてしまう場合が考えられる。また、カメラ本体の場合、ミラー駆動しているうちにミラーの角度が変化していき、ＡＦセンサへの光の入り方が変化して正しい合焦位置とはずれた位置を合焦位置だと認識してしまう場合が考えられる。
【０００４】
このような場合、合焦位置を元の状態に戻すには、ユーザーはカメラをサービスセンターへ持っていき、合焦位置の再調整を依頼するしかなかった。
【０００５】
上記の問題を解決するために、例えば特許文献１では、位相差ＡＦの合焦位置を補正する機能が開示されている。
【０００６】
また、特許文献２では、位相差ＡＦの合焦位置を補正する機能の表示方法が開示されている。
【０００７】
また、特許文献３では、位相差ＡＦの合焦位置を、コントラスト検出方式を用いて自動で補正できる機能が開示されている。この補正値は焦点距離ごとに持つことができる。
【先行技術文献】
【特許文献】
【０００８】
【特許文献１】特開２００１−１７４６９０号公報
【特許文献２】特開２００８−２０３４５４号公報
【特許文献３】特開２０００−２９２６８４号公報
【発明の概要】
【発明が解決しようとする課題】
【０００９】
しかしながら、特許文献１では、１本のレンズに対して１つの補正値しか持つことができない。
【００１０】
また、特許文献２では、１本のレンズに対して１つの補正値を持つための表示しかされていない。
【００１１】
また、特許文献３では、ズームレンズの焦点距離に応じた補正値の具体的な取得方法が書かれていない。
【００１２】
レンズによっては、焦点距離やフォーカス位置ごとに補正すべき値が異なるものがある。したがって、ユーザーが焦点距離やフォーカス位置に応じて位相差ＡＦの合焦位置を補正したい場合、該補正値をわかりやすく設定することができなかった。
【００１３】
そこで、本発明の目的は、位相差ＡＦの合焦位置の補正値がレンズの焦点距離やフォーカス位置によって異なる場合でも、画面に補正する焦点距離やフォーカス位置の情報を表示することで、ユーザーがわかりやすく補正値を設定できるようにすることである。
【課題を解決するための手段】
【００１４】
上記目的を達成するために、本発明の一側面としての表示装置は、レンズユニットの焦点距離に関する情報またはフォーカス位置に関する情報を含むレンズ情報を表示するレンズ情報表示手段と、位相差ＡＦの合焦位置を補正するための補正値を表す目盛りと、前記焦点距離または前記フォーカス位置に対応した前記補正値を設定するための指標と、を有し、前記目盛りに対し、複数の前記指標が表示され、各焦点距離または各フォーカス位置の補正値が一覧で表示されることを特徴とする。
【発明の効果】
【００１５】
本発明によれば、位相差ＡＦの合焦位置の補正値がレンズの焦点距離やフォーカス位置によって異なる場合でも、画面に補正する焦点距離やフォーカス位置の情報を表示することで、ユーザーがわかりやすく補正値を設定できる表示装置を提供することができる。
【図面の簡単な説明】
【００１６】
【図１】ミラーダウン時におけるカメラの概略断面図である。
【図２】ミラーアップ時におけるカメラの概略断面図である。
【図３】実施形態１のメインフローを表す図である。
【図４】図４（ａ）は補正値がない状態における補正値の一覧表示画面の図である。図４（ｂ）は補正値の設定を行うための詳細表示画面の図である。図４（ｃ）は設定した補正値を確認するための確認表示画面の図である。図４（ｄ）は引き続き補正を行うか否かを確認する最終確認画面の図である。
【図５】実施形態１の焦点距離選択方法のフローを表す図である。
【図６】実施形態１の焦点距離選択時の表示画面の図である。
【図７】撮影フローを表す図である。
【図８】実施形態２のメインフローを表す図である。
【図９】図９（ａ）は補正値が設定された状態における焦点距離に対応する補正値の一覧表示画面の図である。図９（ｂ）エラー処理フロー時における警告表示画面の図である。
【図１０】実施形態２の焦点距離選択方法のフローを表す図である。
【図１１】図１１（ａ）は複数の焦点距離から補正する焦点距離を選択する画面の図である。図１１（ｂ）は現在の焦点距離を調節して設定した焦点距離と一致させる画面の図である。
【図１２】キャリブレーションフローを表す図である。
【図１３】補正値が設定された状態におけるフォーカス位置に対応する補正値の一覧表示画面の図である。
【図１４】図１４（ａ）はスケール表示にした際の目盛りを表す画面の図である。図１４（ｂ）はデフォーカス表示にした際の目盛りを表す画面の図である。図１４（ｃ）はデフォーカス表示にした際の目盛りをプラス側にシフトしたときの画面の図である。
【図１５】図１５（ａ）は現在の焦点距離に対応する補正値が未設定の場合の第１の補正値の一覧表示画面の図である。図１５（ｂ）は現在の焦点距離に対応する補正値が設定済みで該補正値が強調表示されているときの第１の補正値の一覧表示画面の図である。図１５（ｃ）は現在の焦点距離に対応する補正値が未設定の場合の第２の補正値の一覧表示画面の図である。図１５（ｄ）は現在の焦点距離に対応する補正値が設定済みで該補正値が強調表示されているときの第２の補正値の一覧表示画面の図である。図１５（ｅ）は現在の焦点距離に対応する補正値が未設定の場合の第３の補正値の一覧表示画面の図である。図１５（ｆ）は現在の焦点距離に対応する補正値が設定済みで該補正値が強調表示されているときの第３の補正値の一覧表示画面の図である。
【図１６】実施形態６の焦点距離選択方法のフローを表す図である。
【図１７】実施形態６の焦点距離選択時の表示画面の図である。
【発明を実施するための形態】
【００１７】
以下に、本発明の好ましい実施形態を詳細に説明する。
［実施形態１］
本発明の実施形態１として、レンズ交換可能なデジタル一眼レフカメラシステム（光学機器）について説明する。
【００１８】
図１、図２は本実施形態におけるカメラの概略断面図である。
【００１９】
レンズ本体（レンズユニット）１内に収容された撮像光学系１０は、１つ又は複数のレンズ群から構成され、その全てもしくは一部を移動させることで焦点距離やフォーカス位置を変化させることが可能とされている。
【００２０】
レンズ駆動手段１１は、撮像光学系１０を構成するレンズの全てもしくは一部を移動させて焦点状態を調整する駆動手段である。
【００２１】
レンズ状態検出手段１２は、撮像光学系１０の焦点距離、即ちズーム位置およびフォーカス位置を検出する検出手段である。
【００２２】
また、レンズ制御手段１３は、ＲＯＭ等で構成されたレンズ記憶手段１４を含むレンズ本体１全体の制御を司る制御手段である。
【００２３】
接点１５は、レンズ本体１およびカメラ本体（撮像装置）２に具備された接点であり、互いに装着された状態では接点１５を介して各種の情報の通信や電源の供給が行われる。
【００２４】
主ミラー２０は、ハーフミラーで構成され、カメラの動作状態に応じて回動可能となっており、被写体をファインダーで観察する時は撮影光路へ斜設され、レンズ本体１からの光束を折り曲げて後述のファインダー光学系へ導いている（図１参照）。また、撮影時やライブビュー時は撮影光路から退避して、レンズ本体１からの光束を後述の撮像素子２４へ導いている（図２参照）。
【００２５】
サブミラー２１は、主ミラー２０とともに回動し、主ミラー２０が撮影光路へ斜設されている時に主ミラー２０を透過した光束を折り曲げて後述のＡＦセンサ２２へ導いている（図１参照）。また、撮影時やライブビュー時は主ミラー２０とともに回動して撮影光路から退避する（図２参照）。
【００２６】
ＡＦセンサ２２は、２次結像レンズや複数のＣＣＤまたはＣＭＯＳからなるエリアセンサ等から構成されており、公知の方法である位相差方式で焦点検出が可能となっている。
【００２７】
シャッター２３は、レンズ本体１からの光束を後述の撮像素子２４に入射制御するためにあり、通常は閉じた状態（図１参照）で、撮影時やライブビュー時に開いた状態（図２参照）となる。
【００２８】
撮像素子２４は、ＣＭＯＳイメージセンサとその周辺回路で構成されている。
【００２９】
ピント板３０は、レンズ本体１の一次結像面に配置され、入射面にはフレネルレンズ（集光レンズ）が設けられ、射出面には被写体像（ファインダー像）が結像している。ペンタプリズム３１は、ファインダー光路を変更するもので、ピント板３０の射出面に結像した被写体像を正立正像に補正する。
【００３０】
接眼レンズ３２は、ユーザーがファインダーをのぞいた時、ユーザーの目に合わせて視度を調節できるような構成になっている。
【００３１】
ここで、ピント板３０、ペンタプリズム３１、接眼レンズ３２により構成されている光学系を、ファインダー光学系と称する。
【００３２】
ＡＥセンサ３３は、多分割された撮像領域内の各領域に対応したフォトダイオードから構成されており、ピント板３０の射出面に結像した被写体像の輝度を測定する。
【００３３】
メカ制御手段４０は、カメラ部の制御とカメラ全体の制御を行うマイクロコンピュータ（中央処理装置；ＭＰＵ）である。
【００３４】
デジタル制御手段４１は、画像データの各種制御を行うメモリコントローラ（ＩＣＵ）である。このデジタル制御手段４１は、撮像素子で撮影された画像のコントラスト検出を行い合焦位置を判定するコントラスト方式の焦点検出手段として用いることができる。
【００３５】
カメラ記憶手段４２は、各種制御を行うための設定、調整データ等を格納している。
【００３６】
液晶モニタ４３は、撮影した画像や各種の撮影情報を表示する表示装置である。
【００３７】
なお、図１、図２には不図示であるが、カメラ本体２にはＳＥＴボタンとキャンセルボタンが設けられている。液晶モニタ４３にＳＥＴボタン表示がされている場合、このＳＥＴボタンを押すことで、決定や選択等の操作ができる。また、液晶モニタ４３にキャンセルボタン表示がされている場合、このキャンセルボタンを押すことで、一つ前の状態に戻る、特定のモードを終了する等の操作ができる。
【００３８】
以下、図３、図４を用いて、手動で位相差ＡＦの補正を行う機能（以下、マイクロアジャストメント）について説明する。図３は、実施形態１のメインフローである。
【００３９】
Ｓ１０１ではマイクロアジャストメントを開始する。
【００４０】
Ｓ１０２では補正値が一覧表示される。この時の画面は図４（ａ）の様になる。
【００４１】
図４（ａ）において、５０１は現在のモードを表示する。
【００４２】
５０２は現在装着されているレンズやエクステンダーの名称を表示するレンズ情報表示手段である。何も装着されていない場合は、警告を表示する。なお、レンズ情報表示手段は、レンズ名称を表示する５０２に限らず、後述する現在の焦点距離、現在の開放Ｆ値、現在のフォーカス位置、補正値を設定する焦点距離、補正値を設定するフォーカス位置を表示するものも含む概念である。
【００４３】
５０３は補正値を表すための目盛りである。この目盛りはレンズの開放Ｆ値によって１目盛りの表す補正量が変化する「スケール表示」になっている。
【００４４】
５０４は補正値を表すための指標である。この指標が目盛りのどこにあるかによって、補正値が表される。初期状態の場合は±０の位置に表示される。
【００４５】
５０５はＳＥＴボタンの効果を表す表示である。
【００４６】
５０６はＳＥＴボタン表示である。
【００４７】
５０７はキャンセルボタン表示である。
【００４８】
Ｓ１０３ではＳＥＴボタンが押されたかを判断する。ＳＥＴボタンが押された場合、次のステップへ進む。押されなかった場合はＳ１０４でキャンセルボタンが押されたかを判断する。キャンセルボタンが押された場合のフローは後述する。押されなかった場合はＳ１０３へ戻り、Ｓ１０３とＳ１０４を繰り返す。
【００４９】
Ｓ１０５では焦点距離を選択する。焦点距離の選択方法は後述する。
【００５０】
Ｓ１０６ではＳＥＴボタンが押されたかを判断する。ＳＥＴボタンが押された場合、次のステップに進む。ＳＥＴボタンが押されなかった場合、Ｓ１０５を繰り返す。
【００５１】
Ｓ１０７では補正値の詳細表示を行う。この時の画面は図４（ｂ）の様になる。
【００５２】
図４（ｂ）において、５１０は補正する焦点距離を表示している。Ｓ１０５で選択された焦点距離がここに表示される。
【００５３】
Ｓ１０８では、不図示のダイヤル等の入力装置で、ユーザーが補正値をプラスかマイナスどちらを入力したかを判断する。
【００５４】
Ｓ１０９では補正値をプラスにする。この時画面では、指標５０４が目盛り５０３上を右（プラス）側へ動く。
【００５５】
Ｓ１１０では補正値をマイナスにする。この時画面では、指標５０４が目盛り５０３上を左（マイナス）側へ動く。
【００５６】
Ｓ１１１ではＳＥＴボタンが押されたかを判断する。ＳＥＴボタンが押された場合、次のステップへ進む。ＳＥＴボタンが押されなかった場合、Ｓ１０８〜Ｓ１１０を繰り返す。
【００５７】
Ｓ１１２ではカメラ記憶手段４２に補正値を保存する。
【００５８】
Ｓ１１３では補正値の確認表示を行う。この時画面は図４（ｃ）の様になる。
【００５９】
図４（ｃ）において、５１１は補正値の設定が完了した事を伝えるためのメッセージである。ユーザーはこのメッセージと、設定した補正値５１２を確認する。
【００６０】
Ｓ１１４ではＳＥＴボタンが押されたかを確認する。ＳＥＴボタンが押された場合、次のステップに進む。ＳＥＴボタンが押されなかった場合、Ｓ１１３の確認表示をし続ける。
【００６１】
Ｓ１１５では後述する選択肢Ａと選択肢Ｂのどちらを選んだのかを判断する。具体的には、引き続き補正を行うか、終了するかを判断する。この時画面は図４（ｄ）の様に表示される。
【００６２】
図４（ｄ）において、５１３はカメラからユーザーへのメッセージを表示している。ここでは、補正を引き続き行うかをユーザーに尋ねている。
【００６３】
５１４は選択肢を選ぶ枠であり、この枠は不図示のダイヤル等の入力装置によって動かすことができる。
【００６４】
選択肢Ａは続けて補正する時の選択肢である。選択肢Ａを選んだ状態でＳＥＴボタンを押すと、一覧表示（Ｓ１０２）に戻り、引き続き補正を行う。
【００６５】
選択肢Ｂはマイクロアジャストメントを終了する時の選択肢である。選択肢Ｂを選んだ状態でＳＥＴボタンを押すと、後述するマイクロアジャストメント終了ステップ（Ｓ１１６）に進む。
【００６６】
続いて、Ｓ１０４でキャンセルボタンが押された場合のフローを説明する。Ｓ１０４でキャンセルボタンが押された場合、Ｓ１１６へ進む。
【００６７】
Ｓ１１６ではマイクロアジャストメントを終了する。
【００６８】
Ｓ１１７ではマイクロアジャストメントで取得した補正値を用いて撮影が行われる。撮影のフローは後述する。
【００６９】
以上で、マイクロアジャストメントの一連の流れが終了する。
【００７０】
以下、Ｓ１０５の焦点距離の選択方法について、図５、図６を用いて説明する。図５は焦点距離選択方法のフローである。
【００７１】
Ｓ１２１では、レンズの全焦点距離から、補正を行う焦点距離を選択する。この時画面は図６の様になる。
【００７２】
図６において、５１５はカメラからの指示である。
【００７３】
５１６は補正する焦点距離であり、ダイヤル等の入力装置で補正したい焦点距離に合わせ、Ｓ１０６へ進む。この時、補正する焦点距離５１６で表示されている焦点距離で、すでに補正値が設定済みだった場合、補正する焦点距離５１６の文字や色を変化させて強調し、ユーザーに補正済みの焦点距離を分かるようにする。
【００７４】
以上で焦点距離の選択が完了する。
【００７５】
以下、Ｓ１１７のマイクロアジャストメントで取得した補正値を用いた撮影方法を、図７を用いて説明する。図７は撮影のフローである。
【００７６】
Ｓ２０１ではレリーズボタンを半押しの状態（１ｓｔレリーズ）にする。
【００７７】
Ｓ２０２ではＡＦセンサ２２により位相差方式で焦点検出が行われる。
【００７８】
Ｓ２０３ではレンズ状態検出手段１２で、レンズの焦点距離もしくはフォーカス位置などの、レンズ情報を検出する。
【００７９】
Ｓ２０４ではこのＡＦセンサ２２の焦点検出結果から、撮像レンズ毎に固有の補正値および上記マイクロアジャストメントで作成した焦点距離に応じた補正値情報をカメラ記憶手段４２より取り出し、これを用いて合焦位置情報の補正を行う。
【００８０】
Ｓ２０５ではこれらの補正された合焦位置情報を基にレンズ駆動手段１１によってレンズを駆動し、合焦動作を完了する。
【００８１】
Ｓ２０６ではレリーズボタンを全押しする（２ｎｄレリーズ）。
【００８２】
Ｓ２０７では撮影が行われる。
【００８３】
以上で撮影のフローが終了する。
【００８４】
また、マイクロアジャストメントには、レンズの焦点距離ごとに設定された補正値を全て初期の未設定状態にする「一括リセット」モードが備えられている。
【００８５】
以上、本発明の好ましい実施形態について説明したが、本発明はこれらの実施形態に限定されず、その要旨の範囲内で種々の変形及び変更が可能である。
［実施形態２］
本発明の実施形態２として、コントラスト検出方式を用いた半自動、もしくは全自動での位相差ＡＦの補正機能（以下、キャリブレーション）を有したレンズ交換可能なデジタル一眼レフカメラシステムについて説明する。図１、図２は本実施形態におけるカメラの概略断面図である。なお、基本的な構成は実施形態１と同じなので、以下に異なる部分を説明する。
【００８６】
デジタル制御手段４１は、コントラスト検出方式による出力と、ＡＦセンサ２２からの出力を制御するメカ制御手段４０との差分による補正値を算出する演算手段が設けられている。該演算手段により算出された差分量は、補正情報としてカメラ記憶手段４２に記憶される。
【００８７】
また、本実施の形態におけるカメラシステムは、前述した補正情報を算出し、記憶するためのキャリブレーションモードが設定可能に構成されている。
【００８８】
以下、図８、図９を用いてキャリブレーションについて、説明する。図８は、実施形態２のメインフローである。
【００８９】
Ｓ３０１ではキャリブレーションを開始する。
【００９０】
Ｓ３０２では補正値一覧が表示される。補正値がまだ設定されていない場合は、図４（ａ）の様に表示されるが、いくつかの焦点距離で補正値を設定済みの場合、画面は図９（ａ）の様になる。
【００９１】
図９（ａ）において、５２０ａは、焦点距離７０ｍｍの補正値を表す指標である。
【００９２】
５２０ｂは、焦点距離１００ｍｍの補正値を表す指標である。
【００９３】
５２０ｃは、焦点距離２００ｍｍの補正値を表す指標である。
【００９４】
Ｓ３０３ではＳＥＴボタンが押されたかを判断する。ＳＥＴボタンが押された場合、次のステップへ進む。押されなかった場合はＳ３０４でキャンセルボタンが押されたかを判断する。キャンセルボタンが押された場合のフローは後述する。押されなかった場合はＳ３０３へ戻り、Ｓ３０３とＳ３０４を繰り返す。
【００９５】
Ｓ３０５では焦点距離を選択する。焦点距離の選択方法は後述する。
【００９６】
Ｓ３０６ではキャリブレーションを実行する。キャリブレーションのフローは後述する。
【００９７】
Ｓ３０７ではエラーフラグが０かどうかを判断する。エラーフラグは、後述するキャリブレーションのフローの中でエラーになった場合に１になる。もしエラーフラグが１になっていた場合、後述するエラー処理のステップ（Ｓ３１１）に進む。エラーフラグが０のままだった場合は、次のステップへ進む。
【００９８】
Ｓ３０８ではキャリブレーションによって取得した補正値の確認表示を行う。この時の画面は図４（ｃ）の様になる。
【００９９】
Ｓ３０９ではＳＥＴボタンが押されたかどうかを確認する。ＳＥＴボタンが押された場合、次のステップに進む。ＳＥＴボタンが押されなかった場合、Ｓ３０８の確認表示をし続ける。
【０１００】
Ｓ３１０では選択肢Ａと選択肢Ｂのどちらを選んだのかを判断する。選択肢Ａは引き続き補正を行う、選択肢Ｂはキャリブレーションを終了する事を表している。この時画面は実施形態１と同様に図４（ｄ）の様に表示される。選択肢Ａを選んでＳＥＴボタンを押すと一覧表示（Ｓ３０２）へ戻り、選択肢Ｂを選んでＳＥＴボタンを押すと後述するキャリブレーション終了フロー（Ｓ３１４）へ進む。
【０１０１】
続いて、Ｓ３０７でエラーフラグが１だった場合の、エラー処理フローを説明する。ここで言うエラーの内容は、焦点距離がずれた事によるものである。
【０１０２】
Ｓ３１１ではエラー表示を行う。この時画面は図９（ｂ）の様になる。
【０１０３】
図９（ｂ）において、５１０は、ユーザーが焦点距離選択で選択した補正を行う焦点距離が表示される。
【０１０４】
５２１は、現在の焦点距離が表示される。現在の焦点距離５２１は、レンズ状態検出手段１２から得た情報をリアルタイムに表示している。
【０１０５】
この時、焦点距離がずれてエラーになったので、補正を行う焦点距離５１０と現在の焦点距離５２１は違う焦点距離になっている。
【０１０６】
５２２には、ユーザーへの警告を表示する。この場合、焦点距離がずれた警告と、焦点距離を合わせるように指示がされる。
【０１０７】
Ｓ３１２ではＳＥＴボタンが押されたかを判断する。ＳＥＴボタンが押された場合、次のステップへ進む。ＳＥＴボタンが押されなかった場合、Ｓ３１１のエラーを表示し続ける。
【０１０８】
Ｓ３１３ではエラーフラグを０に戻す。このステップでエラーは解除され、一覧表示（Ｓ３０２）に戻り、再度キャリブレーションを行う事が出来る。
【０１０９】
続いて、Ｓ３０４でキャンセルボタンが押された場合のフローを説明する。Ｓ３０４でキャンセルボタンが押されると、Ｓ３１４へ進む。
【０１１０】
Ｓ３１４ではキャリブレーションを終了する。
【０１１１】
Ｓ３１５ではキャリブレーションで取得した補正値を用いて撮影が行われる。撮影のフローは図７と同様である。
【０１１２】
以上でキャリブレーションの一連の流れが終了する。
【０１１３】
以下、Ｓ３０５の焦点距離選択方法について、図１０、図１１を用いて説明する。図１０は、焦点距離選択方法のフローである。
【０１１４】
Ｓ３３１では、画面上に選択可能な焦点距離が複数個表示される。この時画面は図１１（ａ）の様に表示される。
【０１１５】
図１１（ａ）において、５２３は選択可能な焦点距離である。この焦点距離は、補正を行うレンズの光学特性等によって補正が効果的である焦点距離を、カメラ記憶手段４２より読みだして提示している。図１１（ａ）では、７０ｍｍ、１００ｍｍ、２００ｍｍの３つの焦点距離を例示的に表示しているが、これをワイド端、ミドル端、テレ端と表示してもよいし、表示される焦点距離の数や焦点距離の値をレンズによって異ならせてもよい。
【０１１６】
Ｓ３３２では、ユーザーが選択可能な焦点距離５２３の中から１つ焦点距離を選択する。
【０１１７】
５２４は焦点距離を選択ためのする枠で、ダイヤル等の入力装置で選択する。
【０１１８】
Ｓ３３３ではＳＥＴボタンが押されたかを判断する。ＳＥＴボタンが押された場合、次のステップへ進む。ＳＥＴボタンが押されなかった場合、Ｓ３３２を繰り返す。
【０１１９】
Ｓ３３４ではレンズ状態検出手段１２によって、現在のレンズ情報を取得する。
【０１２０】
Ｓ３３５では詳細表示を行う。この時画面は図１１（ｂ）の様になる。
【０１２１】
５１０はＳ３２２で選択した補正を行う焦点距離である。
【０１２２】
５２１は現在の焦点距離である。
【０１２３】
５２５はカメラからの指示である。ここでは、補正を行う焦点距離５１０と現在の焦点距離５２１を一致させるように指示している。
【０１２４】
この時、補正を行う焦点距離５１０と現在の焦点距離５２１が一致していないと、ＳＥＴボタン表示５０６は押せないような表示になっている。
【０１２５】
Ｓ３３６では、現在の焦点距離５２１が補正を行う焦点距離５１０に一致するようにユーザーが手動でレンズを動かす。
【０１２６】
Ｓ３３７では補正を行う焦点距離５１０と、現在の焦点距離５２１が一致したかを判断する。
【０１２７】
一致していない場合はＳ３３８へ進み、ＳＥＴボタンが押せない状態（網かけ表示）にし、Ｓ３３４に戻る。Ｓ３３４に戻ると、一致するまでＳ３３４〜Ｓ３３８を繰り返す。繰り返すことによって、レンズ情報が逐次更新され、リアルタイム表示が可能となる。また、取得するレンズ情報には、開放Ｆ値やフォーカス位置なども含まれているので、これらもリアルタイムに表示することが可能である。
【０１２８】
一致した場合はＳ３３９へ進み、ＳＥＴボタンが押せる状態（通常の表示）にして、次のステップへ進む。
【０１２９】
Ｓ３４０ではＳＥＴボタンが押されたかどうかを判断する。ＳＥＴボタンが押された場合、メインフローのＳ３０６へ進む。ＳＥＴボタンが押されない場合、Ｓ３３４へ戻る。
【０１３０】
一度Ｓ３３７で一致したと判断されても、Ｓ３４０でＳＥＴボタンを押す前に何らかの拍子に焦点距離がずれてしまうと、またＳＥＴボタンが押せない状態に戻る。
【０１３１】
以上で焦点距離の選択が完了する。
【０１３２】
以下、Ｓ３０６のキャリブレーションのフローについて、図１２を用いて説明する。
【０１３３】
フローに入る前に、被写体を決めておく作業が必要である。被写体を決めたところで、キャリブレーションをスタートさせる。
【０１３４】
Ｓ４０１では、コントラスト検出方式によって被写体に合焦させる。
【０１３５】
Ｓ４０２では、レンズ状態検出手段１２でレンズの焦点距離を確認する。焦点距離がずれていたら、後述のエラー処理に進む。焦点距離がずれていなければ、次のステップに進む。
【０１３６】
Ｓ４０３では、メカ制御手段４０がレンズ制御手段１３に信号を送り、レンズ駆動手段１１を通じてフォーカスレンズを所定位置に移動させる。
【０１３７】
Ｓ４０４では、撮像素子２４から得られる画像信号のコントラストをデジタル制御手段４１に検出させる。
【０１３８】
Ｓ４０５では、所定回数Ｎに達するまで、Ｓ４０２での焦点距離ずれのチェックとＳ４０３でのフォーカスレンズの微小移動とＳ４０４でのコントラスト検出とを繰り返し行わせる。
【０１３９】
Ｓ４０６では、デジタル制御手段４１が、Ｎ個のコントラスト検出結果のうち最もコントラストの高い画像信号が得られたフォーカス位置を合焦位置と判定し、メカ制御手段４０に信号を送る。メカ制御手段４０はそのときのレンズ状態検出手段１２からの位置情報を、レンズ制御手段１３を通じて得て、合焦位置情報を作成する。
【０１４０】
Ｓ４０７では、Ｓ４０６で得られた最もコントラストが高いフォーカス位置にレンズ駆動手段１１を通じて、フォーカスレンズを移動させる。
【０１４１】
Ｓ４０８では、メカ制御手段４０が、ＡＦセンサ２２に位相差ＡＦによる焦点検出を行わせる。また、そのときの検出結果、すなわち焦点ずれ量（デフォーカス量）をフォーカスレンズの合焦方向への駆動量に換算した値を、レンズ状態検出手段１２からのフォーカス位置情報に加えて合焦位置情報を作成する。
【０１４２】
Ｓ４０９では、レンズ状態検出手段１２でレンズの焦点距離を確認する。焦点距離がずれていたら、エラー処理に進む。
【０１４３】
Ｓ４１０では、メカ制御手段４０が、デジタル制御手段４１により合焦判定されたときの合焦位置情報と、ＡＦセンサ２２による検出結果から得られた合焦位置情報との差分である合焦位置補正値を、デジタル制御手段４１に算出させる。
【０１４４】
Ｓ４１１では、ユーザーが好みでその補正値を手動で微調整する。この時の詳細なフローは、実施形態１の図３にあるＳ１０７〜Ｓ１１１の様になる。画面は同様に図４（ｂ）の様に表示され、Ｓ１１１の様にＳＥＴボタンが押されたと判断されたら次のステップへ進む。また、キャリブレーションを完全に自動化する場合は、このＳ４１１は無くなる。
【０１４５】
Ｓ４１２では、デジタル制御手段４１に合焦位置補正値をカメラ記憶手段４２に記憶させる。
【０１４６】
続いて、Ｓ４０２、Ｓ４０９でエラーだった場合のエラー処理フローを説明する。
【０１４７】
Ｓ４１３では、キャリブレーションの動作を中止させている。
【０１４８】
Ｓ４１４では、エラーフラグを１にしている。これにより、この後メインフローのエラー処理フローに進むことになる。
【０１４９】
以上でキャリブレーションが終了する。キャリブレーションが終了したら、メインフローのＳ３０７に進む。
【０１５０】
以上、本発明の好ましい実施形態について説明したが、本発明はこれらの実施形態に限定されず、その要旨の範囲内で種々の変形及び変更が可能である。
［実施形態３］
本発明の実施形態３として、フォーカス位置ごとの補正値を得られる機能を有したレンズ交換可能なデジタル一眼レフカメラシステムについて説明する。なお、基本的な構成は実施形態１と同じなので、以下に異なる部分を説明する。
【０１５１】
ズームレンズでも単焦点レンズでも、フォーカス位置によって光学特性の変化等の影響により補正が必要なレンズだと判断された場合、各フォーカス位置の補正値を持つことができる。ただし、フォーカス位置で別の補正値を持つ必要がない単焦点レンズと判断された場合、補正値は１つのみとなる。
【０１５２】
以下、図１３を用いて、フォーカス位置毎の補正値の表示方法を説明する。なお、この図１３は図３のＳ１０７で表示される。ここでは、すでに補正値が設定済みの場合を説明する。
【０１５３】
図１３において、５３０ａは至近端の補正値、５３０ｂは無限端の補正値を表している。
【０１５４】
５３１は補正するフォーカス位置を表しており、不図示のダイヤル等の入力装置でフォーカス位置を選べる。
【０１５５】
また、現在のフォーカス位置と補正値５３０ａ、５３０ｂが一致している場合、指標を色付きで表示する。図１３の場合は無限端の補正値５３０ｂが一致しているので、無限端の補正値５３０ｂが色付きで表示されている。
【０１５６】
この画面で、不図示のダイヤル等の入力装置によって補正値を設定し、ＳＥＴボタンを押せば補正が完了となる。
【０１５７】
この表示方法では各フォーカス位置を、無限端、至近端等の簡易的な表現で表したものであるが、例えば被写体までの距離を表示する（被写体距離１ｍ、３ｍ・・・）など、もっと詳細に表示してもよい。また、各フォーカス位置は、無限端、至近端に限定されず、全フォーカス位置の中から選択可能である。
【０１５８】
以上、本発明の好ましい実施形態について説明したが、本発明はこれらの実施形態に限定されず、その要旨の範囲内で種々の変形及び変更が可能である。
［実施形態４］
本発明の実施形態４として、詳細表示での表示切り替え機能を有し、補正値を表すための目盛りを、スケール表示とデフォーカス表示で切り替え可能なレンズ交換可能なデジタル一眼レフカメラシステムについて説明する。なお、基本的な構成は実施形態１と同じなので、以下に異なる部分を説明する。
【０１５９】
図１、図２には不図示であるが、カメラ本体２はスケール表示とデフォーカス表示の切り替えに対応している切り替えボタンＡを備えている。
【０１６０】
以下、スケール表示とデフォーカス表示の切り替え方法を図１４を用いて説明する。
【０１６１】
ここで、デフォーカス表示とは、実際のピントのずれ量で表示する絶対値表示であり、撮像素子と焦点のずれ量を表す絶対量をデフォーカス量とし、１目盛りが１［μｍ］になる。
【０１６２】
まず、図１４（ａ）では目盛り５０３は１目盛りが開放Ｆ値によって変化するスケール表示である。
【０１６３】
５４１はスケール表示からデフォーカス表示に切り替えるボタン表示である。この表示がされている状態で切り替えボタンＡを押すと、図１４（ｂ）に表示が切り替わり、スケール表示の目盛り５０３は、デフォーカス表示の目盛り５４０ａになり、右端に単位（［μｍ］）５４３が付く。
【０１６４】
５４４ａはマイナス方向へ移動可能な事を表す矢印で、５４４ｂはプラス方向へ移動可能なことを表す矢印である。
【０１６５】
５４２はデフォーカス表示からスケール表示に切り替えるボタン表示である。切り替えボタンＡを押すことで切り替え可能な場合に表示されている。
【０１６６】
図１４（ｂ）の指標５０４を、ユーザーの操作によってプラス側に移動させていくと、目盛り５４０ａは図１４（ｃ）の目盛り５４０ｂの様に目盛り全体がシフトして表示され、±２０［μｍ］以上の広い範囲を表示することが可能になる。
【０１６７】
以上、詳細表示での表示切り替え方法について説明したが、一覧表示や確認表示の場合も、詳細表示とほぼ同様にスケール表示と詳細表示の切り替えが可能である。
【０１６８】
以上、本発明の好ましい実施形態について説明したが、本発明はこれらの実施形態に限定されず、その要旨の範囲内で種々の変形及び変更が可能である。
［実施形態５］
本発明の実施形態５として、一覧表示の表示方法を複数持ち、さらに切り替えが可能な機能を有するレンズ交換可能なデジタル一眼レフカメラシステムについて説明する。なお、基本的な構成は実施形態２と同じなので、以下に異なる部分を説明する。
【０１６９】
図１、図２には不図示であるが、カメラ本体２は一覧表示の表示方法を切り替えるための切り替えボタンＢを備えている。
【０１７０】
まず、図１５（ａ）、図１５（ｂ）を用いて、第１の一覧表示方法を説明する。
【０１７１】
図１５（ａ）、図１５（ｂ）の指標５５０ａの上には７０ｍｍの補正値、指標５５０ｂの上には１００ｍｍの補正値、指標５５０ｃの上には２００ｍｍの補正値と、それぞれ設定済みの補正値を表している。
【０１７２】
図１５（ａ）の場合、現在の焦点距離５２１に表示されている焦点距離の補正値が未設定なので、通常の一覧表示のままである。
【０１７３】
図１５（ｂ）の場合、現在の焦点距離５２１に表示されている焦点距離の補正値が設定済みなので、指標５５０ｂは指標５５１の様に、矢印や文字の色や大きさが変化して強調表示される。
【０１７４】
次に、図１５（ｃ）、図１５（ｄ）を用いて、第２の一覧表示方法を説明する。
【０１７５】
図１５（ｃ）は、補正値が密集している、もしくは重なる場合、矢印のすぐ上に焦点距離の表示があると見づらくなってしまうので、引き出し線５５３によって焦点距離を少し離した位置に表示させている。また、現在の焦点距離５２１と補正済み焦点距離が一致して、強調して表示する場合、図１５（ｃ）の５５０ｂは図１５（ｄ）の５５１のように矢印や文字の色や大きさが変化する。
【０１７６】
次に、図１５（ｅ）、図１５（ｆ）を用いて、第３の一覧表示方法を説明する。
【０１７７】
図１５（ｅ）は、焦点距離を色で分別して補正値を示す矢印に色を付けて表示する。画面上には、色と焦点距離の関係を表す対応表を表示する。
【０１７８】
５５４は色マップで、５５５は色マップ５５４に対応した焦点距離表示である。焦点距離表示５５５は装着されたレンズによって変わる。色マップ５５４と、焦点距離表示５５５に対応した色で、指標５５０a、５５０ｂ、５５０ｃに色が付けられている。また、現在の焦点距離５２１と補正済み焦点距離（５５０ｂ）が一致して強調して表示する場合、図１５（ｆ）の指標５５１の様に、矢印の色や大きさを変化させると同時に、焦点距離を矢印の上に表示する。
【０１７９】
各表示方法への切り替えは、切り替えボタン５５２が表示されている状態で切り替えボタンＢを押すことで、順々に表示が切り替わっていく。
【０１８０】
以上、本発明の好ましい実施形態について説明したが、本発明はこれらの実施形態に限定されず、その要旨の範囲内で種々の変形及び変更が可能である。
［実施形態６］
本発明の実施形態６として、レンズを直接動かすことで補正する焦点距離が選択可能なキャリブレーション機能を有する、レンズ交換可能なデジタル一眼レフカメラシステムについて説明する。なお、基本的な構成は実施形態２と同じなので、以下に異なる部分を説明する。
【０１８１】
図８の焦点距離の選択ステップ（Ｓ３０５）における表示方法を、図１６、図１７を用いて説明する。図１６は焦点距離選択方法のフローである。
【０１８２】
Ｓ３５１では現在のレンズ情報を取得する。
【０１８３】
Ｓ３５２では詳細表示を行う。この時画面は図１７の様になる。
【０１８４】
図１７において、５２１は現在の焦点距離、５６０は現在の開放Ｆ値、５３２は現在のフォーカス位置である。
【０１８５】
Ｓ３５３では、ユーザーが手動でレンズを動かす。レンズを動かすと、現在の焦点距離５２１、現在の開放Ｆ値５６０、現在のフォーカス位置５３２は逐次更新され、リアルタイムに表示される。ユーザーは、補正したい焦点距離が現在の焦点距離５２１に表示された時に次のステップＳ３５４へ進む。
【０１８６】
この時、現在の焦点距離５２１の焦点距離が、すでに補正されている焦点距離だった場合、現在の焦点距離５２１の表示を文字や色を変化させて強調させたりして、ユーザーに補正済みの焦点距離が分かるようにする。もしくは、指標５０４がその焦点距離の補正値の位置に飛んで表示されるなど、ユーザーに補正済みの焦点距離が分かるようにする。
【０１８７】
Ｓ３５４では、ＳＥＴボタンが押されたかを判断する。ＳＥＴボタンが押されなかった場合、Ｓ３５１に戻り、Ｓ３５１〜Ｓ３５４を繰り返す。これによりレンズ情報のリアルタイム表示が可能になる。ＳＥＴボタンが押された場合、図８のＳ３０６に進む。
【０１８８】
以上で焦点距離の選択が完了する。
【０１８９】
以上、本発明の好ましい実施形態について説明したが、本発明はこれらの実施形態に限定されず、その要旨の範囲内で種々の変形及び変更が可能である。
【０１９０】
以上の実施形態により、以下の様な効果が得られる。
【０１９１】
実施形態１では、焦点距離毎の補正値を設定する際、ユーザーがどの焦点距離で補正を行っているのか分かりやすくなる。
【０１９２】
実施形態２では、一覧表示により、設定した補正値が一目でわかるようになる。また、補正に効果がある焦点距離を提示する事で、ユーザーのキャリブレーションに費やす時間等の負荷が軽減できる。また、レンズ情報のリアルタイム表示によって、キャリブレーションの設定がより分かりやすくできる。
【０１９３】
実施形態３では、フォーカス位置によっても補正値を持つことで、より合焦精度の高い撮影が可能となる。
【０１９４】
実施形態４では、分かりにくかった補正値の表示も、絶対値にする事で補正量のイメージがしやすくなる。
【０１９５】
実施形態５では、補正済みの焦点距離の有無、補正量等が直感的にわかる。また、誤って補正済みの焦点距離に再度補正を行う事を防止できる。
【０１９６】
実施形態６では、焦点距離選択と焦点距離合わせが同時に直感的にできる。
【産業上の利用可能性】
【０１９７】
本発明により、精度良く撮影レンズの焦点状態を検出することが可能な撮像装置を提供することが可能である。
【符号の説明】
【０１９８】
５０１  モード名
５０２  レンズ名称
５０３  目盛り
５０４  指標
５０５  ＳＥＴボタンの効果の説明
５０６  ＳＥＴボタン表示
５０７  キャンセルボタン表示
５１０  補正を行う焦点距離
５２１  現在の焦点距離
５３１  補正を行うフォーカス位置
５３２  現在のフォーカス位置
５６０  現在の開放Ｆ値
【図１】
0005734044.tif 000002
【図２】
0005734044.tif 000003
【図３】
0005734044.tif 000004
【図４】
0005734044.tif 000005
【図５】
0005734044.tif 000006
【図６】
0005734044.tif 000007
【図７】
0005734044.tif 000008
【図８】
0005734044.tif 000009
【図９】
0005734044.tif 000010
【図１０】
0005734044.tif 000011
【図１１】
0005734044.tif 000012
【図１２】
0005734044.tif 000013
【図１３】
0005734044.tif 000014
【図１４】
0005734044.tif 000015
【図１５】
0005734044.tif 000016
【図１６】
0005734044.tif 000017
【図１７】
0005734044.tif 000018